(57)【要約】      （修正有）【課題】電気部品との間で大きな沿面距離を確保することが容易な取付金具、組立体および給湯装置を提供する。【解決手段】取付金具１の第２側板３は、第１側板２に対向している。第１側板２の前端２Ｆと第２側板３の前端３Ｆとの間には開口ＯＰ１が設けられている。開口ＯＰ１は、上開口部ＯＰＵと、その上開口部ＯＰＵよりも下方に位置する下開口部ＯＰＢとを有している。下開口部ＯＰＢにおける前端２Ｆから前端３Ｆへ向かう横方向の寸法Ｄ２は、上開口部ＯＰＵにおける前端２Ｆから前端３Ｆへ向かう方向の寸法Ｄ１よりも小さい。【選択図】図６
2020064952.tif 000002
【特許請求の範囲】
【請求項１】
導電体を有する電気部品を取り付け固定する取付金具であって、
第１側板と、
前記第１側板に対向する第２側板と、を備え、
前記第１側板の第１前端と前記第２側板の第２前端との間には開口が設けられており、
前記開口は、上開口部と、前記上開口部よりも下方に位置する下開口部とを有し、
前記下開口部における前記第１前端から前記第２前端へ向かう横方向の寸法は、前記上開口部における前記第１前端から前記第２前端へ向かう方向の寸法よりも小さい、取付金具。
【請求項２】
前記第１側板の上端と前記第２側板の上端とを掛け渡す天板をさらに備え、
前記天板の第３前端は、前記第１側板の前記第１前端と前記第２側板の前記第２前端とを繋ぐ仮想の直線よりも後方に位置している、請求項１に記載の取付金具。
【請求項３】
前記天板の後端から下方に延びる押さえ部をさらに備えた、請求項２に記載の取付金具。
【請求項４】
前記第１側板の前記第１前端から前記第２側板に向かって延びる第１折れ曲がり部と、
前記第２側板の前記第２前端から前記第１側板に向かって延び、かつ前記第１折れ曲がり部との間で前記下開口部を規定する第２折れ曲がり部と、をさらに備えた、請求項１から請求項３のいずれか１項に記載の取付金具。
【請求項５】
前記第１側板の前記第１前端から前記第２側板に向かって延びる第３折れ曲がり部と、
前記第２側板の前記第２前端から前記第１側板に向かって延び、かつ前記第３折れ曲がり部との間で前記上開口部を規定する第４折れ曲がり部と、をさらに備え、
前記第１折れ曲がり部の前記横方向に延びる寸法は前記第３折れ曲がり部の前記横方向に延びる寸法よりも大きく、
前記第２折れ曲がり部の前記横方向に延びる寸法は前記第４折れ曲がり部の前記横方向に延びる寸法よりも大きい、請求項４に記載の取付金具。
【請求項６】
前記第２側板から前記第１側板とは反対側へ延びる舌部をさらに備えた、請求項１から請求項５のいずれか１項に記載の取付金具。
【請求項７】
前記第１側板の下端から前記第２側板とは反対側へ延びる固定部をさらに備えた、請求項１から請求項６のいずれか１項に記載の取付金具。
【請求項８】
１枚の板から構成されている、請求項１から請求項７のいずれか１項に記載の取付金具。
【請求項９】
請求項１から請求項８のいずれか１項に記載の取付金具と、
前記取付金具の前記第１側板および前記第２側板の間に配置された前記電気部品と、を備え、
前記第１前端から前記第２前端へ向かう横方向の寸法において、前記電気部品の横方向の寸法は、前記下開口部の横方向の寸法よりも大きく、かつ前記上開口部の横方向の寸法よりも小さい、組立体。
【請求項１０】
前記導電体は、前記電気部品の下面に設けられた第１導電部を有し、
前記第１前端から前記第２前端へ向かう横方向の寸法において、前記第１導電部の横方向の寸法は前記下開口部の横方向の寸法よりも小さく、
前記第１導電部は前記取付金具と間隔を開けて配置されている、請求項９に記載の組立体。
【請求項１１】
前記導電体は、前記電気部品の上面に設けられた第２導電部を有し、
前記取付金具の前記電気部品の上方に位置する部分は、前記第２導電部よりも後方に位置することにより前記第２導電部と間隔を開けて配置されている、請求項１０に記載の組立体。
【請求項１２】
前記電気部品は、リレーと、前記リレーを支持するソケットと、を有し、
前記リレーは、前記ソケットに取り付けられる取り付け部と、前記取り付け部に取り付けられたリレー本体部と、前記リレー本体部を囲みかつ前記取り付け部に取り付けられたカバーとを有し、
前記取付金具の前記電気部品の上方に位置する前記部分は、前記取り付け部と前記カバーとの接合部よりも後方に位置している、請求項１１に記載の組立体。
【請求項１３】
前記電気部品は、前記ソケットよりも少なくとも下方に突き出した突き出し部を有し、
前記第１導電部および前記第２導電部の各々は、前記突き出し部よりも前方において前記ソケットに配置されており、
前記ソケットと前記突き出し部とにより構成される段部に前記取付金具が当接することで、前記電気部品は前記取付金具に対して位置決めされている、請求項１２に記載の組立体。
【請求項１４】
請求項９から請求項１３のいずれか１項に記載の組立体と、
前記組立体の前記取付金具によって前記電気部品が取り付けられた筐体と、を備えた、給湯装置。
【発明の詳細な説明】
【技術分野】
【０００１】
本発明は、取付金具、組立体および給湯装置に関するものである。
【背景技術】
【０００２】
給湯装置には、リレーが用いられることがある。リレーは、電気信号により電気回路の開閉を行う装置である。このリレーの取り付けは、たとえば以下の非特許文献１に記載されている。この非特許文献１には、リレーを取り付けたソケットを、取り付け用金具に固定するために、取り付け用金具の角穴に挿入することが記載されている。
【０００３】
ソケットの側面には、側方に突き出した突き出し部と、爪部を有する金属板とが設けられている。取り付け用金具が突き出し部と爪部との間に位置するように、ソケットは取り付け用金具の角穴に挿入される。取り付け用金具が突き出し部と爪部との間で挟まれることにより、ソケットが取り付け用金具から簡単に抜けないように抜け止めされている。
【先行技術文献】
【非特許文献】
【０００４】
【非特許文献１】オムロン株式会社、“リレー共通の注意事項”、１６頁、［online］、［平成３０年１０月１日検索］、インターネット（URL: https://www.fa.omron.co.jp/data_pdf/commentary/generalrelay_cn_j_1_1.pdf）
【発明の概要】
【発明が解決しようとする課題】
【０００５】
しかし上記非特許文献１に記載の構成では、ソケットを取り付け用金具の角穴に挿入した状態において、ソケット側面の爪部を有する金属板と取り付け用金具とが接続される。このためリレーと金属板とが意図せずに電気的に接続されると、リレーが取り付け用金具と電気的に短絡してしまう。よってリレーと取り付け用金具との間の沿面距離を大きく確保することが難しい。
【０００６】
また沿面距離を大きく確保するために絶縁シートを付加すると、部品点数が増加し、コストが増加する。
【０００７】
本発明は、上記課題に鑑みてなされたものであり、その目的は、電気部品との間で大きな沿面距離を確保することが容易な取付金具、組立体および給湯装置を提供することである。
【課題を解決するための手段】
【０００８】
本発明の取付金具は、導電体を有する電気部品を取り付け固定する取付金具であって、第１側板と、第２側板とを備えている。第２側板は、第１側板に対向している。第１側板の第１前端と第２側板の第２前端との間には開口が設けられている。開口は、上開口部と、その上開口部よりも下方に位置する下開口部とを有している。下開口部における第１前端から第２前端へ向かう横方向の寸法は、上開口部における第１前端から第２前端へ向かう方向の寸法よりも小さい。
【０００９】
本発明の取付金具によれば、第１側板の第１前端と第２側板の第２前端との間に設けられた開口部が上開口部と下開口部とを有している。この下開口部の横方向寸法は上開口部の横方向寸法よりも小さくなっている。このため横方向寸法の小さい下開口部には電気部品を配置せず、横方向寸法の大きい上開口部に電気部品を配置することができる。これにより電気部品の下面と取付金具の下端との間に少なくとも下開口部の上下方向の寸法分のスペースを確保することができる。このため導電板上に上記取付金具を配置した場合においても導電板上に上記スペースを空けて電気部品を配置することが可能となる。このため仮に電気部品の下面に導電体が配置されている場合であっても、この導電体が導電板と直接接することを防止できるため、大きな沿面距離を確保することが容易となる。
【００１０】
また上記のように電気部品を取付金具に配置した場合、電気部品の下側に下開口部が位置することになる。このため仮に電気部品の下面に導電体が配置されている場合であっても、この導電体が下開口部内に位置することで取付金具と直接接することを防止できるため、大きな沿面距離を確保することが容易となる。
【００１１】
上記の取付金具は、第１側板の上端と第２側板の上端とを掛け渡す天板をさらに備えている。天板の第３前端は、第１側板の第１前端と第２側板の第２前端とを繋ぐ仮想の直線よりも後方に位置している。
【００１２】
これにより仮に電気部品の上面に導電体が配置されている場合であっても、その導電体の後方に天板を配置することが可能となる。このため導電体と天板とが直接接することを防止できるため、大きな沿面距離を確保することが容易となる。
【００１３】
上記の取付金具は、天板の後端から下方に延びる押さえ部をさらに備えている。
これにより取付金具で電気部品を取り付け固定した際に、押さえ部により電気部品の後端を押さえることができる。このため電気部品が取付金具の後方へ抜けることが押さえ部により防止される。
【００１４】
上記の取付金具は、第１折れ曲がり部と、第２折れ曲がり部とをさらに備えている。第１折れ曲がり部は、第１側板の第１前端から第２側板に向かって延びている。第２折れ曲がり部は、第２側板の第２前端から第１側板に向かって延び、かつ第１折れ曲がり部との間で下開口部を規定する。
【００１５】
これにより第１折れ曲がり部と第２折れ曲がり部との上に電気部品を載置することができる。この第１折れ曲がり部と第２折れ曲がり部とにより電気部品の下面と取付金具の下端との間にスペースを確保することができ、大きな沿面距離を確保することが容易となる。
【００１６】
また第１折れ曲がり部と第２折れ曲がり部との間に下開口部が規定される。このため、仮に電気部品の下面に導電体が配置されている場合であっても、この導電体が下開口部内に位置することで取付金具と直接接することを防止できる。よって、大きな沿面距離を確保することが容易となる。
【００１７】
上記の取付金具は、第３折れ曲がり部と、第４折れ曲がり部とをさらに備えている。第３折れ曲がり部は、第１側板の第１前端から第２側板に向かって延びている。第４折れ曲がり部は、第２側板の第２前端から第１側板に向かって延び、かつ第３折れ曲がり部との間で上開口部を規定している。第１折れ曲がり部の横方向に延びる寸法は第３折れ曲がり部の横方向に延びる寸法よりも大きい。第２折れ曲がり部の横方向に延びる寸法は第４折れ曲がり部の横方向に延びる寸法よりも大きい。
【００１８】
この第３折れ曲がり部と第４折れ曲がり部とにより電気部品の取付金具に対する横方向の移動を規制することが可能となる。これにより電気部品の取付金具に対する横方向の位置決めが容易となる。
【００１９】
上記の取付金具は、第２側板から第１側板とは反対側へ延びる舌部をさらに備えている。
【００２０】
この舌部を導電板の孔に挿入することにより、取付金具を導電板に位置決めすることができる。
【００２１】
上記の取付金具は、第１側板の下端から第２側板とは反対側へ延びる固定部をさらに備えている。
【００２２】
この固定部にて取付金具を導電板に固定することができる。
上記の取付金具は、１枚の板から構成されている。
【００２３】
これにより部品点数を低減することができる。
本発明の組立体は、上記の取付金具と、電気部品とを備えている。電気部品は、取付金具の第１側板および第２側板の間に配置されている。第１前端から第２前端へ向かう横方向の寸法において、電気部品の横方向の寸法は、下開口部の横方向の寸法よりも大きく、かつ上開口部の横方向の寸法よりも小さい。
【００２４】
本発明の組立体によれば、第１側板の第１前端と第２側板の第２前端との間に設けられた開口部が上開口部と下開口部とを有している。この下開口部の横方向寸法は上開口部の横方向寸法よりも小さくなっている。このため横方向寸法の小さい下開口部には電気部品を配置せず、横方向寸法の大きい上開口部に電気部品を配置することができる。これにより電気部品の下面と取付金具の下端との間に少なくとも下開口部の寸法分のスペースを確保することができる。このため導電板上に上記取付金具を配置した場合においても導電板上に上記スペースを空けて電気部品を配置することが可能となる。このため仮に電気部品の下面に導電体が配置されている場合であっても、この導電体が導電板と直接接することを防止できるため、大きな沿面距離を確保することが容易となる。
【００２５】
また上記のように電気部品を取付金具に配置した場合、電気部品の下側に下開口部が位置することになる。このため仮に電気部品の下面に導電体が配置されている場合であっても、この導電体が下開口部内に位置することで取付金具と直接接することを防止できるため、大きな沿面距離を確保することが容易となる。
【００２６】
上記組立体において、導電体は、電気部品の下面に設けられた第１導電部を有している。第１前端から第２前端へ向かう横方向の寸法において、第１導電部の横方向の寸法は、下開口部の横方向の寸法よりも小さい。第１導電部は取付金具と間隔を開けて配置されている。
【００２７】
これにより第１導電部と取付金具とが直接接することが防止できるため、大きな沿面距離を確保することが容易となる。
【００２８】
上記組立体において、導電体は、電気部品の上面に設けられた第２導電部を有している。取付金具の電気部品の上方に位置する部分は、第２導電部よりも後方に位置することにより第２導電部と間隔を開けて配置されている。
【００２９】
これにより第２導電部と取付金具とが直接接することが防止できるため、大きな沿面距離を確保することが容易となる。
【００３０】
上記組立体において、電気部品は、リレーと、そのリレーを支持するソケットとを有している。リレーは、ソケットに取り付けられる取り付け部と、その取り付け部に取り付けられたリレー本体部と、そのリレー本体部を囲みかつ取り付け部に取り付けられたカバーとを有している。取付金具の電気部品の上方に位置する部分は、取り付け部とカバーとの接合部よりも後方に位置している。
【００３１】
これによりサージ電圧が印加された場合でも、サージ電流が取り付け部とカバーとの接合部を通じてリレー本体と取付金具との間に流れることを抑制することができる。
【００３２】
上記組立体において、電気部品は、ソケットよりも少なくとも下方に突き出した突き出し部を有している。第１導電部および第２導電部の各々は、突き出し部よりも前方においてソケットに配置されている。ソケットと突き出し部とにより構成される段部に取付金具が当接することで、電気部品は取付金具に対して位置決めされている。
【００３３】
これにより電気部品を取付金具に対して前後方向に位置決めすることができる。
本発明の給湯装置は、上記の組立体と、その組立体の取付金具によって電気部品が取り付けられた筐体とを備えている。
【００３４】
本発明の給湯装置によれば、電気部品の導電体との間で大きな沿面距離を確保することが容易となる。
【００３５】
本欄における「前」、「後」、「下」および「上」の各方向は発明の説明上、便宜的に定めた方向であり、実際の取り付け状態においては上記各方向とは異なる方向になっている場合がある。
【発明の効果】
【００３６】
以上説明したように本発明によれば、電気部品の導電体との間で大きな沿面距離を確保することが容易な取付金具、組立体および給湯装置を実現することができる。
【図面の簡単な説明】
【００３７】
【図１】一実施の形態における給湯装置の構成を概略的に示す図である。
【図２】図１に示す給湯装置におけるリレーの機能を説明するための図である。
【図３】図１に示す給湯装置に含まれるリレーを取付金具を用いて取付部材に取り付けた状態を示す斜視図である。
【図４】図１に示す給湯装置に含まれるリレーと、取付金具と、取付部材との構成を示す分解斜視図である。
【図５】リレーを取り付けるソケットの構成を示す斜視図である。
【図６】図３に示す取付金具の構成を示す図（Ａ）〜（Ｄ）である。
【図７】リレーおよびソケットと取付金具とを組み立てた組立体の構成を示す斜視図である。
【図８】比較例における、リレーと、取付金具と、取付部材とを示す分解斜視図である。
【図９】取付金具の変形例１の構成を示す正面図である。
【図１０】取付金具の変形例２の構成を示す正面図である。
【図１１】取付金具の変形例３の構成を示す正面図である。
【発明を実施するための形態】
【００３８】
以下、本発明の実施の形態について、図面を参照して詳細に説明する。
なお、明細書および図面において、同一の構成要素または対応する構成要素には、同一の符号を付し、重複する説明を繰り返さない。また図面では、説明の便宜上、構成を省略または簡略化している場合もある。また実施の形態と各変形例との少なくとも一部は、互いに任意に組み合わされてもよい。
【００３９】
＜給湯装置５０の構成＞
まず給湯装置５０の構成について図１を用いて説明する。
【００４０】
図１に示されるように、本実施の形態の給湯装置５０は、ファン４１と、燃焼部４２と、熱交換器４３と、排気部４４と、筐体４６とを主に有している。筐体４６は、たとえば金属よりなっている。筐体４６の内部には、ファン４１、燃焼部４２、熱交換器４３および排気部４４が収納されている。
【００４１】
ファン４１は、空気を筐体４６の外部から取り込んで燃焼部４２に供給するためのものである。ファン４１の上部には燃焼部４２が接続されている。
【００４２】
燃焼部４２は、燃料ガスと空気との混合ガスを燃焼することにより加熱用気体としての燃焼ガスを発生するためのものである。燃焼部４２の上部には熱交換器４３が接続されている。
【００４３】
熱交換器４３は、燃焼部４２で生じた燃焼ガスと熱交換器４３の内部の水との間で熱交換を行うためのものである。熱交換器４３の上部には排気部４４が接続されている。
【００４４】
排気部４４は、熱交換器４３との間で熱交換した後の燃焼ガスを筐体４６の外部へ排出するためのものである。排気部４４は、筐体４６の内部から外部へ通じる排気管４５を有している。この排気管４５を通じて燃焼ガスは筐体４６の外部へ排出される。
【００４５】
本実施の形態の給湯装置５０は、電気部品１０と、取付金具１と、取付部材（導電板）２０と、凍結予防ヒータ３４とをさらに有している。これらの電気部品１０、取付金具１、取付部材２０（導電板）および凍結予防ヒータ３４は、筐体４６の内部に配置されている。
【００４６】
凍結予防ヒータ３４は、熱交換器４３に取り付けられていてもよい。また凍結予防ヒータ３４は、熱交換器４３に水を供給するための給水配管４３ａに取り付けられていてもよい。また凍結予防ヒータ３４は、熱交換器４３から湯を排出するための出湯配管４３ｂに取り付けられていてもよい。
【００４７】
電気部品１０は、たとえばリレーを有している。このリレーは、電気信号により電気回路の開閉を行う装置である。
【００４８】
電気部品１０は、取付金具１により取付部材２０に取り付けられている。取付部材２０は、たとえば金属板よりなっている。取付部材２０は、筐体４６に固定されている。
【００４９】
＜電気部品１０に含まれるリレーの機能＞
次に、電気部品１０に含まれるリレーの機能について図２を用いて説明する。
【００５０】
図２に示されるように、電気部品１０に含まれるリレー１２は、たとえば凍結予防ヒータ３４への電源電圧の入力または遮断を切り替える機能を有する。このリレー１２は、基板３１に設けられた電気回路により制御される。
【００５１】
基板３１に設けられた電気回路はたとえば１００Ｖの電源電圧に対応している。しかし世界の電源電圧は各国によって様々である。そこで基板３１の電気回路とコンセント３３との間にはトランス３２が電気的に接続されている。このトランス３２によってコンセント３３に与えられた電源電圧がたとえば１００Ｖに変換されて基板３１の電気回路に与えられる。
【００５２】
一方、凍結予防ヒータ３４は、比較的大きな電力を用いるため、トランス３２で駆動できるものには限りがある。そこで凍結予防ヒータ３４はトランス３２を介在せずにコンセント３３に接続されている。
【００５３】
なお比較的小さな電力を用いる凍結予防ヒータが、トランス３２で変換された電圧で駆動するように、凍結予防ヒータ３４とは別個に設けられてもよい。
【００５４】
＜電気部品１０および取付金具１の構成＞
次に、電気部品１０および取付金具１の構成について図３〜図６を用いて説明する。
【００５５】
なお以下の電気部品１０および取付金具１の構成の説明においては、取付金具１の第１側板２および第２側板３を基準にして折れ曲がり部４、５側を「前」側とし、第１側板２および第２側板３を基準にして押さえ部９側を「後」側とする。また取付金具１を基準にして取付金具１が取付部材２０に取り付けられる側を「下」側とし、取付金具１が取付部材２０に取り付けられる側とは反対側を「上」側とする。
【００５６】
上記「上」、「下」、「前」および「後」は、説明の便宜上、用いられるものである。電気部品１０および取付金具１が図１に示す給湯装置５０に収納された状態では、上記「前」側は下側であり、上記「後」側は上側であり、上記「下」側は後側であり、上記「上」側は前側である。このように上記「上」、「下」、「前」および「後」の各方向は、実際の取り付け状態においては異なる方向である場合がある。
【００５７】
図４に示されるように、電気部品１０は、ソケット１１と、リレー１２とを有している。ソケット１１は、リレー１２を支持し、かつリレー１２に電気的に接続されるものである。またソケット１１は、リレー１２を他の電気回路に電気的に接続するためのものである。
【００５８】
図５に示されるように、ソケット１１は、ソケット本体部１１ａと、導電体１１ｂ１（図７）、１１ｂ２、１１ｃと、複数の端子挿入部１１ｄと、複数の端子１１ｅとを有している。
【００５９】
複数の端子挿入部１１ｄは、ソケット本体部１１ａのリレー搭載面側に配置されている。複数の端子挿入部１１ｄのそれぞれは、リレー１２の複数の端子（図示せず）を挿入される部分である。
【００６０】
複数の端子１１ｅの各々は、ソケット本体部１１ａのリレー搭載面とは反対側の面に設けられている。複数の端子１１ｅの各々は、複数の端子挿入部１１ｄの各々と電気的に接続されている。複数の端子１１ｅの各々は、たとえばはんだ付け端子である。
【００６１】
導電体１１ｂ１、１１ｂ２、１１ｃは、第１導電部１１ｂ１（図７）と、第２導電部１１ｂ２と、接続部１１ｃとを有している。第１導電部１１ｂ１は、ソケット本体部１１ａの下面に配置されている。第２導電部１１ｂ２は、ソケット本体部１１ａの上面に配置されている。接続部１１ｃは、ソケット本体部１１ａのリレー搭載面に配置されている。
【００６２】
接続部１１ｃは、第１導電部１１ｂ１と第２導電部１１ｂ２との双方に接続されている。接続部１１ｃは、複数の端子挿入部１１ｄの各々と間隔を開けて配置されている。第１導電部１１ｂ１、第２導電部１１ｂ２および接続部１１ｃの各々は、たとえば１枚の金属板よりなっており、互いに電気的に接続されている。
【００６３】
ソケット１１には、突き出し部１１ｈが設けられている。突き出し部１１ｈは、ソケット１１の少なくとも下面に設けられており、ソケット１１の下面から下方に突き出している。突き出し部１１ｈは、ソケット１１の下面から下方に突き出した部分１１ｈａを有している。
【００６４】
また突き出し部１１ｈは、ソケット１１の上面に設けられ、かつソケット１１の上面から上方に突き出した部分１１ｈｂを有していてもよい。また突き出し部１１ｈは、ソケット１１の両側面に設けられ、かつソケット１１の両側面の各々から側方に突き出した部分１１ｈｃを有していてもよい。
【００６５】
第１導電部１１ｂ１および第２導電部１１ｂ２の各々は、突き出し部１１ｈよりも前方に位置する部分を有している。つまり第１導電部１１ｂ１および第２導電部１１ｂ２の各々は、突き出し部１１ｈよりも複数の端子１１ｅ側に位置する部分を有している。
【００６６】
図４に示されるように、リレー１２は、取り付け部１２ａと、リレー本体部１２ｂと、カバー１２ｃとを有している。取り付け部１２ａは、ソケット１１のソケット本体部１１ａに取り付けられる部分である。この取り付け部１２ａは複数の端子（図示せず）を有しており、その複数の端子の各々はソケット１１の複数の端子挿入部１１ｄの各々に挿入されている。
【００６７】
リレー本体部１２ｂは、取り付け部１２ａに取り付けられている。カバー１２ｃは、リレー本体部１２ｂを取り囲み、かつ取り付け部１２ａに取り付けられている。
【００６８】
図６（Ａ）に示されるように、取付金具１は、第１側板２と、第２側板３と、折れ曲がり部４、５と、天板６と、舌部７と、固定部８と、押さえ部９とを有している。取付金具１は、たとえば１枚の板を折り曲げることにより構成されている。取付金具１は、たとえば金属よりなっている。第１側板２と第２側板３とは、互いに並走しながら前後に延びている。第１側板２と第２側板３とは、たとえば互いに平行に延びている。
【００６９】
天板６は、第１側板２の上端２Ｕと第２側板３の上端３Ｕとに掛け渡されている。天板６により第１側板２と第２側板３とは接続されている。天板６の前端６Ｆは、第１側板２の前端２Ｆ（第１前端）と第２側板３の前端３Ｆ（第２前端）とを繋ぐ仮想の直線ＬＮよりも後方に位置している。これにより天板６の前端６Ｆと上記直線ＬＮとの間には開口ＯＰ２（隙間）が設けられている。
【００７０】
第１側板２の前端２Ｆには、折れ曲がり部４が設けられている。折れ曲がり部４は、第１側板２の前端２Ｆから第２側板３側に折れ曲がっている。具体的には折れ曲がり部４は、第１側板２の前端２Ｆから第２側板３の前端３Ｆに向かって折れ曲がっている。
【００７１】
第２側板３の前端３Ｆには、折れ曲がり部５が設けられている。折れ曲がり部５は、第２側板３の前端３Ｆから第１側板２側に折れ曲がっている。具体的には折れ曲がり部５は、第２側板３の前端３Ｆから第１側板２の前端２Ｆに向かって折れ曲がっている。
【００７２】
図６（Ｂ）に示されるように、第１側板２の前端２Ｆと第２側板３の前端３Ｆとの間には開口ＯＰ１が設けられている。開口ＯＰ１は、上開口部ＯＰＵと、下開口部ＯＰＢとを有している。下開口部ＯＰＢは、上開口部ＯＰＵの下側に位置している。上開口部ＯＰＵと下開口部ＯＰＢとは互いにつながっている。下開口部ＯＰＢにおける前端２Ｆから前端３Ｆへ向かう横方向の寸法Ｄ２は、上開口部ＯＰＵにおける前端２Ｆから前端３Ｆへ向かう方向の寸法Ｄ１よりも小さい。
【００７３】
折れ曲がり部４は、第１折れ曲がり部４ａと、第３折れ曲がり部４ｂとを有している。第１折れ曲がり部４ａおよび第３折れ曲がり部４ｂの各々は、第１側板２の前端２Ｆから第２側板３側に折れ曲がっている。
【００７４】
第１折れ曲がり部４ａは、第３折れ曲がり部４ｂの下側に位置している。第１折れ曲がり部４ａと第３折れ曲がり部４ｂとは互いに接続されている。第１折れ曲がり部４ａは、第１側板２の下端に接続されている。第３折れ曲がり部４ｂは第１側板２の上端２Ｕに接続されている。第１折れ曲がり部４ａの上記横方向の寸法Ｌ１は、第３折れ曲がり部４ｂの上記横方向の寸法Ｌ３よりも大きい。
【００７５】
折れ曲がり部５は、第２折れ曲がり部５ａと、第４折れ曲がり部５ｂとを有している。第２折れ曲がり部５ａおよび第４折れ曲がり部５ｂの各々は、第２側板３の前端３Ｆから第１側板２側に折れ曲がっている。
【００７６】
第２折れ曲がり部５ａは、第４折れ曲がり部５ｂの下側に位置している。第２折れ曲がり部５ａと第４折れ曲がり部５ｂとは互いに接続されている。第２折れ曲がり部５ａは、第２側板３の下端に接続されている。第４折れ曲がり部５ｂは第２側板３の上端３Ｕに接続されている。第２折れ曲がり部５ａの上記横方向の寸法Ｌ２は、第４折れ曲がり部５ｂの上記横方向の寸法Ｌ４よりも大きい。
【００７７】
第１折れ曲がり部４ａと第２折れ曲がり部５ａとの間に下開口部ＯＰＢが位置している。つまり第１折れ曲がり部４ａと第２折れ曲がり部５ａとにより下開口部ＯＰＢが規定されている。
【００７８】
第３折れ曲がり部４ｂと第４折れ曲がり部５ｂとの間に上開口部ＯＰＵが位置している。つまり第３折れ曲がり部４ｂと第４折れ曲がり部５ｂとにより上開口部ＯＰＵが規定されている。
【００７９】
図６（Ａ）に示されるように、舌部７は、第２側板３の下端から第１側板２とは反対側へ延びている。舌部７は、ベース部７ａと、挿入片７ｂとを有している。ベース部７ａは、第２側板３に接続される部分である。挿入片７ｂは、ベース部に接続される部分である。挿入片７ｂは、図３に示されるように取付部材２０の挿入孔２０ｃに挿入される部分である。挿入片７ｂは、ベース部７ａよりも細い幅を有している。
【００８０】
図６（Ｄ）に示されるように、舌部７は平板よりなっている。舌部７は、後端から前端に向かって上り勾配となっている。このため舌部７は、第１側板２の下端に対して傾斜している。
【００８１】
図６（Ａ）に示されるように、固定部８は、第１側板２の下端から第２側板３とは反対側へ延びている。固定部８は、貫通孔８ａを有している。貫通孔８ａは、図４に示されるようにネジなどの締結部材２１が挿入される部分である。この締結部材２１が固定部８の貫通孔８ａに挿入された後に取付部材２０のネジ穴などの被締結部２０ａに締結されることにより、取付金具１は取付部材２０に固定される。
【００８２】
図６（Ｃ）に示されるように、固定部８は平板よりなっている。固定部８に対して第１側板２の上端２Ｕは、後端から前端に向かって上り勾配となっている。このため第１側板２の上端２Ｕは、固定部８に対して傾斜している。
【００８３】
図６（Ｄ）に示されるように、固定部８に対して第２側板３の上端３Ｕは、後端から前端に向かって上り勾配となっている。このため第２側板３の上端３Ｕは、固定部８に対して傾斜している。
【００８４】
図６（Ｃ）、（Ｄ）に示されるように、押さえ部９は、天板６の後端６Ｒから下方に延びている。押さえ部９は、後端から天板６との接合部に向かって上り勾配となっている。
【００８５】
＜電気部品１０と取付金具１との組立＞
次に、電気部品１０と取付金具１とが組み立てられた状態の構成について図３、図６（Ｂ）および図７を用いて説明する。
【００８６】
図６（Ｂ）に示されるように、電気部品１０と取付金具１とが組み立てられた状態において、電気部品１０は、第１側板２と第２側板３との間に配置されている。前端２Ｆから前端３Ｆへ向かう横方向の寸法において、電気部品１０の横方向の寸法Ｄ３は、下開口部ＯＰＢの横方向の寸法Ｄ２よりも大きく、かつ上開口部ＯＰＵの横方向の寸法Ｄ１よりも小さい。
【００８７】
図７に示されるように、電気部品１０と取付金具１とが組み立てられた状態において、ソケット１１の下面が第１折れ曲がり部４ａの上端および第２折れ曲がり部５ａの上端により支持されている。これによりソケット１１の下面は、第１折れ曲がり部４ａおよび第２折れ曲がり部５ａの各々の下端から、第１折れ曲がり部４ａおよび第２折れ曲がり部５ａの各々の高さＨの距離だけ離れている。この第１折れ曲がり部４ａおよび第２折れ曲がり部５ａの各々の高さＨは、下開口部ＯＰＢの上下方向の寸法と同じである。
【００８８】
ソケット１１の下面に設けられた第１導電部１１ｂ１は下開口部ＯＰＢ内に配置されている。また前端２Ｆから前端３Ｆへ向かう横方向の寸法において、第１導電部１１ｂ１の横方向の寸法Ｄ４は、下開口部ＯＰＢの横方向の寸法Ｄ２よりも小さい。このため第１導電部１１ｂ１は、第１折れ曲がり部４ａおよび第２折れ曲がり部５ａの各々と接しておらず、間隔を開けて配置されている。つまり第１導電部１１ｂ１は、取付金具１と間隔を開けて配置されている。
【００８９】
ソケット１１と突き出し部１１ｈとにより構成される段部に取付金具１が当接することで、電気部品１０は取付金具１に対して位置決めされている。具体的にはソケット１１の下面から下方に突き出す突き出し部１１ｈの部分１１ｈａとソケット１１の下面とにより構成される段差に、取付金具１の第１折れ曲がり部４ａおよび第２折れ曲がり部５ａの各々が当接することにより、電気部品１０は取付金具１に対して位置決めされている。
【００９０】
またソケット１１の両側面の各々から側方に突き出す突き出し部１１ｈの部分１１ｈｃとソケット１１の両側面の各々とにより構成される段差に取付金具１の第３折れ曲がり部４ｂおよび第４折れ曲がり部５ｂの各々が当接することにより、電気部品１０は取付金具１に対して位置決めされていてもよい。
【００９１】
図３に示されるように、電気部品１０と取付金具１とが組み立てられた状態において、天板６は電気部品１０の上方に位置している。この天板６の前端６Ｆは、ソケット１１の上面に配置された第２導電部１１ｂ２よりも後方に位置している。天板６の前端６Ｆと第２導電部１１ｂ２とは、間隔を開けて配置されている。これにより第２導電部１１ｂ２は、取付金具１と間隔を開けて配置されており、接していない。
【００９２】
また天板６の前端６Ｆは、リレー１２の取り付け部１２ａとカバー１２ｃとの接合部１２ｄよりも後方に位置している。天板６の前端６Ｆと接合部１２ｄとは、間隔を開けて配置されている。
【００９３】
電気部品１０と取付金具１とが組み立てられた状態において、押さえ部９は電気部品１０の後端よりも後方に位置している。
【００９４】
＜取付金具１の取付部材２０への固定＞
次に、取付金具１の取付部材２０への固定について図１、図３および図４を用いて説明する。
【００９５】
図１に示されるように、取付部材２０は給湯装置５０の筐体４６に取り付けられている。この取付部材２０に、取付金具１は固定されている。また取付金具１が取付部材２０に固定されることにより、電気部品１０が取付部材２０に固定されている。
【００９６】
図４に示されるように、取付部材２０は、たとえば金属よりなっている。取付部材２０は、たとえば平板部と、平板部から立ち上がった立ち上がり部２０ｂとを有している。立ち上がり部２０ｂには、挿入孔２０ｃが設けられている。挿入孔２０ｃは、たとえば長方形の開口形状を有している。取付部材２０の平板部には、たとえばネジ穴などの被締結部２０ａが設けられている。
【００９７】
まずは取付金具１と電気部品１０とが組み立てられ、組立体が構成される。この後、取付金具１を取付部材２０に固定するに際して、取付金具１の挿入片７ｂが取付部材２０の挿入孔に挿入される。
【００９８】
挿入片７ｂは上記のように後端から前端に向かって上り勾配となっている。挿入片７ｂの前端の高さ位置と後端の高さ位置との高さの差は、挿入孔２０ｃの上辺と下辺との間の距離と略同じに設定されている。このため挿入片７ｂが挿入孔２０ｃに挿入された状態で、取付金具１が取付部材２０に対して上下方向にがたつくことが抑制されている。
【００９９】
この後、ネジなどの締結部材２１が固定部８の貫通孔８ａを貫通された後に、取付部材２０の被締結部２０ａに締結される（たとえばねじ込まれる）。これにより取付金具１は、取付部材２０に固定される。
【０１００】
取付金具１が取付部材２０に固定された状態において、取付部材２０の平板部とソケット１１の下面に位置する第１導電部１１ｂ１との間には隙間がある。
【０１０１】
＜本実施の形態の作用効果＞
次に、本実施の形態の作用効果について、図８に示す比較例と対比して説明する。
【０１０２】
図８に示されるように、比較例においては取付部材１２０に固定される取付金具１０１は、角穴１０１ａを有している。この角穴１０１ａに電気部品１０が挿入される。この挿入に際して、ソケット１１と突き出し部１１ｈとの段差に取付金具１０１が当接する位置まで電気部品１０が角穴１０１ａに挿入される。
【０１０３】
この比較例の電気部品１０では、上記実施の形態と同様に、ソケット１１の下面と上面との各々に導電部１１ｂ１、１１ｂ２が配置されている。このため上記のように取付金具１０１の角穴１０１ａに電気部品１０が挿入された場合、導電部１１ｂ１、１１ｂ２が取付金具１０１に接する。またこの取付金具１０１は、取付部材１２０に固定される。このため導電部１１ｂ１、１１ｂ２は、取付金具１０１を介在して取付部材１２０と電気的に接続される。
【０１０４】
導電部１１ｂ１、１１ｂ２は、図５に示されるように接続部１１ｃに接続されている。このため接続部１１ｃも取付部材１２０と電気的に接続される。このため、この比較例においては、沿面距離は接続部１１ｃと端子挿入部１１ｄとの間の距離Ｄ５となり、小さくなる。
【０１０５】
なお導電部１１ｂ１、１１ｂ２の各々には爪部１１ｂ３が設けられている。この爪部１１ｂ３は、電気部品１０が取付金具１０１の角穴１０１ａに挿入された状態で、突き出し部１１ｈとの間で取付金具１０１を挟み込むことにより、電気部品１０が取付金具１０１の角穴１０１ａから抜けないようにするためのものである。
【０１０６】
一方、本実施の形態によれば、図６（Ｂ）に示されるように、下開口部ＯＰＢの横方向寸法Ｄ２は上開口部ＯＰＵの横方向寸法Ｄ１よりも小さくなっている。このため横方向寸法Ｄ２の小さい下開口部ＯＰＢには電気部品１０を配置せず、横方向寸法Ｄ１の大きい上開口部ＯＰＵに電気部品１０を配置することができる。これにより電気部品１０の下面と取付金具１の下端との間に少なくとも下開口部ＯＰＢの上下方向の寸法分のスペースを確保することができる。このため図３に示されるように取付部材２０上に取付金具１を配置した場合においても取付部材２０上に上記スペースを空けて電気部品１０を配置することが可能となる。このため図７に示されるように、仮に電気部品１０の下面に第１導電部１１ｂ１が配置されている場合であっても、この第１導電部１１ｂ１が取付部材２０と直接接することを防止できる。よって沿面距離は、取付金具１と端子挿入部１１ｄとの間の距離となり比較例よりも大きくすることができる。したがって本実施の形態においては大きな沿面距離を確保することが容易となる。
【０１０７】
また上記のように電気部品１０を取付金具１に配置した場合、電気部品１０の下側に下開口部ＯＰＢが位置することになる。このため仮に電気部品１０の下面に第１導電部１１ｂ１が配置されている場合であっても、第１導電部１１ｂ１が下開口部ＯＰＢ内に位置することで取付金具１と直接接することを防止できる。よって、大きな沿面距離を確保することが容易となる。
【０１０８】
また本実施の形態によれば、図６（Ａ）に示されるように、天板６の前端６Ｆは、第１側板２の前端２Ｆと第２側板３の前端３Ｆとを繋ぐ仮想の直線ＬＮよりも後方に位置している。これにより仮に電気部品１０の上面に第２導電部１１ｂ２が配置されている場合であっても、第２導電部１１ｂ２を避けて第２導電部１１ｂ２の後方に天板６を配置することが可能となる。このため第２導電部１１ｂ２と天板６とが直接接することを防止できるため、大きな沿面距離を確保することが容易となる。
【０１０９】
また本実施の形態によれば、図６（Ａ）に示されるように、押さえ部９が天板６の後端６Ｒから下方に延びている。これにより取付金具１で電気部品１０を取付部材２０に取り付けた状態において、押さえ部９により電気部品１０の後端を押さえることができる。このため電気部品１０が取付金具１の後方へ抜けることを押さえ部９により防止することができる。
【０１１０】
また本実施の形態によれば、図６（Ａ）に示されるように、取付金具１は、第１折れ曲がり部４ａと、第２折れ曲がり部５ａとを有している。第１折れ曲がり部４ａは、第１側板２の前端２Ｆから第２側板３に向かって延びている。第２折れ曲がり部５ａは、第２側板３の前端３Ｆから第１側板２に向かって延び、かつ第１折れ曲がり部４ａとの間で下開口部ＯＰＢを規定する。これにより第１折れ曲がり部４ａと第２折れ曲がり部５ａとの上に電気部品１０を載置することができる。この第１折れ曲がり部４ａと第２折れ曲がり部５ａとにより電気部品１０の下面と取付金具１の下端との間にスペースを確保することができ、大きな沿面距離を確保することが容易となる。
【０１１１】
また第１折れ曲がり部４ａと第２折れ曲がり部５ａとの間に下開口部ＯＰＢが規定されるため、仮に電気部品１０の下面に取付部材２０が配置されている場合であっても、この取付部材２０が下開口部ＯＰＢ内に位置することで取付金具１と直接接することを防止できるため、大きな沿面距離を確保することが容易となる。
【０１１２】
また本実施の形態によれば、図６（Ａ）、（Ｂ）に示されるように、取付金具１は、第３折れ曲がり部４ｂと、第４折れ曲がり部５ｂとを有している。第３折れ曲がり部４ｂは、第１側板２の前端２Ｆから第２側板３に向かって延びている。第４折れ曲がり部５ｂは、第２側板３の前端３Ｆから第１側板２に向かって延び、かつ第３折れ曲がり部４ｂとの間で上開口部ＯＰＵを規定している。第１折れ曲がり部４ａの横方向に延びる寸法Ｌ１は第３折れ曲がり部４ｂの横方向に延びる寸法Ｌ３よりも大きい。第２折れ曲がり部５ａの横方向に延びる寸法Ｌ２は第４折れ曲がり部５ｂの横方向に延びる寸法Ｌ４よりも大きい。この第３折れ曲がり部４ｂと第４折れ曲がり部５ｂとにより電気部品１０の取付金具１に対する横方向の移動を規制することが可能となる。これにより電気部品１０の取付金具１に対する横方向の位置決めが容易となる。
【０１１３】
また本実施の形態によれば、図６（Ａ）に示されるように、取付金具１は、第２側板３から第１側板２とは反対側へ延びる舌部７を有している。舌部７を取付部材２０の挿入孔２０ｃに挿入することにより、取付金具１を取付部材２０に位置決めすることができる。
【０１１４】
また本実施の形態によれば、図６（Ａ）に示されるように、取付金具１は、第１側板２の下端から第２側板３とは反対側へ延びる固定部８を有している。この固定部８にて取付金具１を取付部材２０に固定することができる。
【０１１５】
また本実施の形態によれば、図６（Ａ）に示されるように、取付金具１は、１枚の板から構成されている。これにより部品点数を低減することができる。
【０１１６】
また本実施の形態によれば、図６（Ｂ）に示されるように、電気部品１０は、取付金具１の第１側板２および第２側板３の間に配置されている。第１側板２の前端２Ｆから第２側板３の前端３Ｆへ向かう横方向の寸法において、電気部品１０の横方向の寸法Ｄ３は、下開口部ＯＰＢの横方向の寸法Ｄ２よりも大きく、かつ上開口部ＯＰＵの横方向の寸法Ｄ１よりも小さい。このため横方向寸法Ｄ２の小さい下開口部ＯＰＢには電気部品１０を配置せず、横方向寸法Ｄ１の大きい上開口部ＯＰＵに電気部品１０を配置することができる。これにより電気部品１０の下面と取付金具１の下端との間に少なくとも下開口部ＯＰＢの高さ方向の寸法分のスペースを確保することができる。このため取付部材２０上に取付金具１を配置した場合においても取付部材２０上に上記スペースを空けて電気部品１０を配置することが可能となる。このため仮に電気部品１０の下面に第１導電部１１ｂ１が配置されている場合であっても、第１導電部１１ｂ１が取付部材２０と直接接することを防止できるため、大きな沿面距離を確保することが容易となる。
【０１１７】
また上記のように電気部品１０を取付金具１に配置した場合、電気部品１０の下側に下開口部ＯＰＢが位置することになる。このため仮に電気部品１０の下面に第１導電部１１ｂ１が配置されている場合であっても、第１導電部１１ｂ１が下開口部ＯＰＢ内に位置することで取付金具１と直接接することを防止できるため、大きな沿面距離を確保することが容易となる。
【０１１８】
また本実施の形態によれば、図７に示されるように、第１側板２の前端２Ｆから第２側板３の前端３Ｆへ向かう横方向の寸法において、第１導電部１１ｂ１の横方向の寸法Ｄ４は、下開口部ＯＰＢの横方向の寸法Ｄ２よりも小さい。第１導電部１１ｂ１は取付金具１と間隔を開けて配置されている。これにより第１導電部１１ｂ１と取付金具１とが直接接することが防止できるため、大きな沿面距離を確保することが容易となる。
【０１１９】
また本実施の形態によれば、図３に示されるように、取付金具１の天板６は、第２導電部１１ｂ２よりも後方に位置することにより第２導電部１１ｂ２と間隔を開けて配置されている。これにより第２導電部１１ｂ２と取付金具１とが直接接することが防止できるため、大きな沿面距離を確保することが容易となる。
【０１２０】
また本実施の形態によれば、図６（Ａ）に示されるように、天板６は、リレー１２の取り付け部１２ａとカバー１２ｃとの接合部１２ｄよりも後方に位置している。これによりサージ電圧が印加された場合でも、サージ電流が取り付け部１２ａとカバー１２ｃとの接合部１２ｄを通じてリレー本体部１２ｂと取付金具１との間に流れることを抑制することができる。
【０１２１】
また本実施の形態によれば、図７に示されるように、電気部品１０は、ソケット１１よりも少なくとも下方に突き出した突き出し部１１ｈの部分１１ｈａを有している。ソケット１１と突き出し部１１ｈの部分１１ｈａとにより構成される段部に取付金具１が当接することで、電気部品１０は取付金具１に対して位置決めされている。これにより電気部品１０を取付金具１に対して前後方向に位置決めすることができる。
【０１２２】
＜変形例＞
次に、変形例の構成について図９〜図１１を用いて説明する。
【０１２３】
図９に示されるように、変形例１の取付金具１では、上記実施の形態の取付金具１と比較して、第３折れ曲がり部４ｂおよび第４折れ曲がり部５ｂが省略されている。これにより下開口部ＯＰＢの横方向の寸法Ｄ２は、上開口部ＯＰＵの横方向の寸法Ｄ１よりも小さくなっている。
【０１２４】
図１０に示されるように、変形例２の取付金具１では、上記実施の形態の取付金具１と比較して、第１折れ曲がり部４ａ、第２折れ曲がり部５ａ、第３折れ曲がり部４ｂおよび第４折れ曲がり部５ｂが省略されている。代わりに第１側板２および第２側板３の各々が折れ曲がっている。
【０１２５】
第１側板２および第２側板３の各々は、上部と下部とを有している。第１側板２の下部が第１側板２の上部よりも第２側板３の近くに位置するように第１側板２は上部と下部との間で折れ曲がっている。また第２側板３の下部が第２側板３の上部よりも第１側板２の近くに位置するように第２側板３は上部と下部との間で折れ曲がっている。
【０１２６】
これにより下開口部ＯＰＢの横方向の寸法Ｄ２は、上開口部ＯＰＵの横方向の寸法Ｄ１よりも小さくなっている。
【０１２７】
図１１に示されるように、変形例３の取付金具１は、上記実施の形態の取付金具１と比較して、第１側板２および第２側板３の各々が互いに傾斜している。この傾斜により、第１側板２および第２側板３の間の横方向の寸法は上から下に向かうほど小さくなっている。これにより下開口部ＯＰＢの横方向の寸法Ｄ２は、上開口部ＯＰＵの横方向の寸法Ｄ１よりも小さくなっている。
【０１２８】
なお変形例１〜３のいずれにおいても、電気部品１０の横方向の寸法Ｄ３（図６（Ｂ））に対して下開口部ＯＰＢの横方向の寸法Ｄ２は小さく、上開口部ＯＰＵの横方向の寸法Ｄ１は大きくなっている。
【０１２９】
上記変形例１〜３のように第１側板２と第２側板３との間の開口ＯＰ１において、下開口部ＯＰＢの横方向の寸法Ｄ２が上開口部ＯＰＵの横方向の寸法Ｄ１よりも小さくなれば、第１側板２および第２側板３の形状は如何なるものであってもよい。
【０１３０】
なお上記実施の形態においては、図１に示されるように、電気部品１０と取付金具１との組立体が取付部材２０（導電板）を介在して筐体４６に取り付け固定された構成について説明したが、上記組立体は取付部材２０を介在せずに筐体４６に直接取り付け固定されていてもよい。
【０１３１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１３２】
１  取付金具、２  第１側板、２Ｆ，３Ｆ，６Ｆ  前端、２Ｕ，３Ｕ  上端、３  第２側板、４，４ａ，４ｂ，５，５ａ，５ｂ  折れ曲がり部、６  天板、６Ｒ  後端、７  舌部、７ａ  ベース部、７ｂ  挿入片、８  固定部、８ａ  貫通孔、９  押さえ部、１０  電気部品、１１  ソケット、１１ａ  ソケット本体部、１１ｂ１  第１導電部、１１ｂ２  第２導電部、１１ｃ  接続部、１１ｄ  端子挿入部、１１ｅ  端子、１１ｈ  突き出し部、１１ａ，１１ｂ，１１ｃ  部分、１２  リレー、１２ａ  取り付け部、１２ｂ  リレー本体部、１２ｃ  カバー、１２ｄ  接合部、２０  取付部材、２０ａ  被締結部、２０ｂ  立ち上がり部、２０ｃ  挿入孔、２１  締結部材、３１  基板、３２  トランス、３３  コンセント、３４  凍結予防ヒータ、４１  ファン、４２  燃焼部、４３  熱交換器、４３ａ  給水配管、４３ｂ  出湯配管、４４  排気部、４５  排気管、４６  筐体、５０  給湯装置、ＯＰ１，ＯＰ２  上開口部、ＯＰＢ，ＯＰＵ  開口部。
【図１】
2020064952.tif 000003
【図２】
2020064952.tif 000004
【図３】
2020064952.tif 000005
【図４】
2020064952.tif 000006
【図５】
2020064952.tif 000007
【図６】
2020064952.tif 000008
【図７】
2020064952.tif 000009
【図８】
2020064952.tif 000010
【図９】
2020064952.tif 000011
【図１０】
2020064952.tif 000012
【図１１】
2020064952.tif 000013